(57)【要約】【課題】フィルタの層構造を安定させつつ、圧力損失の抑制および捕集効率の向上を実現することを目的とする。【解決手段】一実施形態に係る帯電フィルタは、第１の層と第２の層とを含む帯電フィルタであって、第１の層がベースと、該ベースの表面から延び且つ第２の層に隣接する複数の中実の突起とを備え、突起が、根元側側面と先端側側面とを有する茎部を有し、第２の層がベースを備え、茎部の根元側側面と第１の層のベースとがなす角度と、茎部の先端側側面と第２の層のベースとがなす角度とのうちの一方の角度である第１の角度が９０°以上１８０°未満であり、他方の角度である第２の角度が４５°以上１８０°未満である。【選択図】図２８
2016068040.tif 000002
【特許請求の範囲】
【請求項１】
第１の層と第２の層とを含む帯電フィルタであって、
前記第１の層がベースと、該ベースの表面から延び且つ前記第２の層に隣接する複数の中実の突起とを備え、前記突起が、根元側側面と先端側側面とを有する茎部を有し、
前記第２の層がベースを備え、
前記茎部の根元側側面と前記第１の層のベースとがなす角度と、前記茎部の先端側側面と前記第２の層のベースとがなす角度とのうちの一方の角度である第１の角度が９０°以上１８０°未満であり、他方の角度である第２の角度が４５°以上１８０°未満である、
帯電フィルタ。
【請求項２】
前記第１の層と前記第２の層とが同じ種類の層である、
請求項１に記載の帯電フィルタ。
【請求項３】
前記第１の層と前記第２の層とが、互いに異なる種類の層である、
請求項１に記載の帯電フィルタ。
【請求項４】
前記第２の層が、該第２の層のベースの表面から延びる複数の中実の突起を更に備える、請求項３に記載の帯電フィルタ。
【請求項５】
前記第２の角度が９０°以上１８０°未満である、
請求項１〜４のいずれか一項に記載の帯電フィルタ。
【請求項６】
前記第１の層のベースと直交する仮想面に前記茎部を投影して得られる投影像の二つの外縁の全体が、前記投影像の外側に向かって凸ではない、
請求項１〜５のいずれか一項に記載の帯電フィルタ。
【請求項７】
前記二つの外縁のうちの少なくとも一つの全体が、前記投影像の内側に向かって凸である、
請求項６に記載の帯電フィルタ。
【請求項８】
前記第１の層のベース上に、スリット状の溝、スリット状の貫通部、または開口が形成された、
請求項１〜７のいずれか一項に記載の帯電フィルタ。
【請求項９】
請求項１〜８のいずれか一項に記載の帯電フィルタを備える物品。
【発明の詳細な説明】
【技術分野】
【０００１】
本発明の一側面は気体用の帯電フィルタに関する。
【背景技術】
【０００２】
従来から、除塵や濾過などの機能を有する様々な気体用のフィルタ（例えば、エアフィルタ）が知られている。
【０００３】
下記特許文献１は、起伏状層によるチャネルフロー濾過媒体を記載する。特許文献１には、「第１の起伏状フィルム層と第２のフィルム層とで画成されるフローチャネルアセンブリの少なくとも１層で形成される濾過媒体アレイ。この起伏状フィルム層には第１の面と第２の面とがあり、起伏状フィルム層の少なくとも一面上の一連の先端部と少なくとも一面とが、その面の少なくとも一部に、高いアスペクト比構造を有するフローチャネルを画成する」との記載がある。また、特許文献１には、「少なくとも数層のフィルム層には、フィルム層の少なくとも一面の表面領域にリブ、ステム、フィブリル、あるいは他の各隆起部などの高アスペクト比構造を延在させて備えている」との記載もある。
【０００４】
下記特許文献２は、エアフィルタを記載する。特許文献２には、「シート状のエレクトレット材をプリーツ状に加工してそのプリーツの折り目方向に空気を通過させる空間を形成してなるエアフィルタ」との記載がある。
【先行技術文献】
【特許文献】
【０００５】
【特許文献１】特表２００２−５３５１２５号公報
【特許文献２】特開平３−７２９６７号公報
【発明の概要】
【発明が解決しようとする課題】
【０００６】
層構造のフィルタを形成する際には、隣接する２層の間で柱の役割を果たす突起が堅固でないと気体の流路が潰れる可能性があるので、安定した層構造のためにはその突起を中実にすることが望ましい。また、突起がフィルムの膨出（エンボス等）やプリーツ加工等によりフィルムに一体的に形成される場合にはその突起の背面側に凹部（空洞）が形成されるが、この得られたフィルムを層構造にする場合、突起の位置が重なると上下のフィルム同士の間隔が狭くなり、圧力損失が増大し捕集効率が低下してしまう。しかし、突起を中実にするとその分だけ流路が狭くなり、圧力損失が増大してしまう。また、突起を中実にすると表面積が制限されるため、捕集効率に影響を与える。そこで、フィルタの層構造を安定させつつ、圧力損失の抑制（すなわち、気体の流れを良くすること）および捕集効率の向上を実現することが望まれている。
【課題を解決するための手段】
【０００７】
本発明の一側面に係る帯電フィルタは、第１の層と第２の層とを含む帯電フィルタであって、第１の層がベースと、該ベースの表面から延び且つ第２の層に隣接する複数の中実の突起とを備え、突起が、根元側側面と先端側側面とを有する茎部を有し、第２の層がベースを備え、茎部の根元側側面と第１の層のベースとがなす角度と、茎部の先端側側面と第２の層のベースとがなす角度とのうちの一方の角度である第１の角度が９０°以上１８０°未満であり、他方の角度である第２の角度が４５°以上１８０°未満である。
【０００８】
このような側面においては、突起が中実なので、フィルタの層構造が安定し、且つ層間の流路を確保できる。加えて、その突起の茎部の根元側および先端側のそれぞれにおいて気体の流路の隅が広く確保されるので、隣接する二つの突起で形成される流路において、その中心付近だけでなく隅の付近にも気体が通るようになり、気体がフィルタ内を流れやすくなる。したがって、フィルタの層構造を安定させつつ、圧力損失の抑制および捕集効率の向上を実現することができる。
【発明の効果】
【０００９】
本発明の一側面によれば、フィルタの層構造を安定させつつ、圧力損失の抑制および捕集効率の向上を実現することができる。
【図面の簡単な説明】
【００１０】
【図１】実施形態に係る帯電フィルタに用いられるシート（層）の斜視図である。
【図２】（ａ），（ｂ）は共に、シート上の突起の側面図である。
【図３】仮想面への突起の投影を説明するための図である。
【図４】突起の投影像のいくつかの例を示す図である。
【図５】突起の投影像のいくつかの例を示す図である。
【図６】突起の形状と、捕集効率および圧力損失との関係を説明するための図である。
【図７】突起の投影像のいくつかの例を示す図である。
【図８】突起の投影像のいくつかの例を示す図である。
【図９】突起の投影像のいくつかの例を示す図である。
【図１０】突起の投影像のいくつかの例を示す図である。
【図１１】突起の投影像のいくつかの例を示す図である。
【図１２】突起の上面のいくつかの例を示す図である。
【図１３】シートにおける突起の配置の例を示す図である。
【図１４】シートにおける突起の配置の例を示す図である。
【図１５】シートにおける突起の配置の例を示す図である。
【図１６】シートにおける突起の配置の例を示す図である。
【図１７】シートにおける突起の配置の例を示す図である。
【図１８】シートにおける突起の配置の例を示す図である。
【図１９】シートの例を示す図である。
【図２０】シートの例を示す図である。
【図２１】シートの例を示す図である。
【図２２】シートの例を示す図である。
【図２３】シートの例を示す図である。
【図２４】シートの例を示す図である。
【図２５】シートの例を示す図である。
【図２６】シートの例を示す図である。
【図２７】シートの例を示す図である。
【図２８】実施形態に係る帯電フィルタの斜視図および部分拡大図である。
【図２９】実施形態に係る帯電フィルタの斜視図および部分拡大図である。
【図３０】実施形態に係る帯電フィルタの斜視図である。
【図３１】積層の例を示す図である。
【図３２】積層の例を示す図である。
【図３３】積層の例を示す図である。
【図３４】積層の例を示す図である。
【図３５】積層の例を示す図である。
【図３６】実施例１における捕集効率を示すグラフである。
【図３７】実施例１における圧力損失を示すグラフである。
【図３８】実施例２における捕集効率を示すグラフである。
【図３９】実施例２における圧力損失を示すグラフである。
【発明を実施するための形態】
【００１１】
以下、添付図面を参照しながら本発明の実施形態を詳細に説明する。なお、図面の説明において同一又は同等の要素には同一の符号を付し、重複する説明を省略する。
【００１２】
実施形態に係る帯電フィルタの構造を説明する。本明細書における用語「フィルタ」は、気体中に混ざり込んだ微粒子（微小な固形物または異物）を取り除くための装置または部品である。気体の種類は何ら限定されない。微粒子の例としては塵、埃、花粉が挙げられるが、帯電フィルタにより除去しようとする対象物はこれらに限定されず、帯電フィルタは気体中の任意の微粒子を取り除いてよい。帯電フィルタの使用態様は何ら限定されず、マスク、空調設備、自動車、空気清浄機、医療用酸素補給装置、熱および湿度交換装置、呼吸装置などのような様々な物品に帯電フィルタを適用することができる。
【００１３】
帯電フィルタは複数の層を備える。複数の層の少なくとも一部は、図１に示すシート１０により形成される。シート１０は薄い板状の部材であり、ベース１１と、該ベース１１上に配置された複数の中実の突起２０とを備える。本明細書における用語「突起」は、ベース１１の一方の面から外方に向かって延びた構造物である。また、本明細書では、突起２０が存在する方の面を層、シート１０、またはベース１１の表面（おもてめん）と定義し、突起２０が存在しない方の面を層、シート１０、またはベース１１の裏面と定義する。
【００１４】
シート１０（層）の寸法は帯電フィルタの寸法に応じて設定される。上述した通り帯電フィルタの使用態様は何ら限定されないので帯電フィルタの寸法も様々であり、また、後述するように帯電フィルタの形成方法も何種類か存在する。したがって、シート１０の長さおよび幅も様々な値を取り得る。例えば、シート１０の長さおよび幅は数センチから数十メートルまでの様々な範囲の値を取り得る。一方、シート１０の厚さは、例えば除塵効果（集塵効果）と気体の流路の確保との双方を考慮して設定されるが、この厚さも何ら限定されない。ここで、シート１０の厚さとは、ベース１１の裏面から突起２０の最高地点までの距離である。一例として、シート１０の厚さの下限は６０μｍ、１００μｍ、または１４０μｍでもよく、その上限は２０００μｍ、９００μｍ、または６００μｍでもよい。
【００１５】
図２（ａ）に示すように、本実施形態の突起２０は、ベース１１の表面から延びる茎部２１を少なくとも備える。図２（ｂ）に示すように、突起２０はその茎部２１の先端に形成された傘部２２を備えてもよく、この場合には突起２０は全体として茸状を呈する。もっとも、突起２０の形状は図２の例に限定されず、後述するように様々な形状が考えられる。突起２０の上面（すなわち、茎部２１または傘部２２の上面）は平坦でもよいし波状（すなわちギザギザ）であってもよい。
【００１６】
ベース１１および突起２０の寸法は限定されない。例えば、ベース１１の厚さ、突起２０の高さ、茎部２１の高さ、茎部２１の底の最大幅、茎部２１の先端の幅、傘部２２の最大幅、および、茎部２１からの傘部２２の張出し量はすべて任意に設定してよい。また、ベース１１における突起２０の密度も何ら限定されない。例えば、その密度は、１平方センチメートル当たり約６０〜約１５５０個でもよいし、１平方センチメートル当たり約１２５〜６９０個、または１平方センチメートル当たり約２００〜約５００個としてもよい。
【００１７】
シート１０の材料は熱可塑性樹脂であり、押出成形に適した熱可塑性樹脂を使用できる。熱可塑性樹脂には、ポリ（エチレンテレフタレート）等のポリエステル、ナイロン等のポリアミド、ポリ（スチレン−アクリロニトリル）、ポリ（アクリロニトリル−ブタジエン−スチレン）、ポリプロピレン等のポリオレフィン及び可塑化ポリ塩化ビニル、並びにこれらのコポリマーおよびブレンドが含まれる。例えば、ポリプロピレン樹脂（ＰＰ）、ポリプロピレン樹脂（ＰＰ）とポリエチレン樹脂（ＰＥ）との混合物、およびエチレン−酢酸ビニルコポリマー（ＥＶＡ）樹脂が具体例として挙げられる。ＰＰとＰＥの混合物を用いる場合には、ＰＰとＰＥとを約９５：５〜３０：７０の重量比で混合してもよい。一般に、ＰＰの量が多くなると、突起２０が硬くなる傾向がある。反対に、ＰＰの量が少なくなると、突起２０が柔らかくなる。ＰＰは単独重合体または共重合体のいずれであってもよい。ＰＥの例としては、低密度ポリエチレン（ＬＤＰＥ）、高密度ポリエチレン（ＨＤＰＥ）、直鎖状低密度ポリエチレン（ＬＬＤＰＥ）などが挙げられる。
【００１８】
本実施形態では、シート１０の製造方法に関して二つの例を示す。
【００１９】
一つは、特表２００５−５１４９７６号公報に記載の手法である。この手法ではまず、電子放電機械加工により切断された開口を有する押出しダイ（ｄｉｅ）から熱可塑性樹脂を押し出すことで、突起の断面形状を有する複数のレール状のリブ（ｒｉｂ）がベースシート上に並んだストリップ（ｓｔｒｉｐ）を形成する。続いて、水などの冷却液体を充填した冷却タンク内でそのストリップをローラで引っ張る。続いて、リブの長手方向に沿って互いに離間した複数の位置で、各リブに幅方向の切り込みを入れることで、それぞれのリブについて、突起の厚さに対応する複数の部分を形成する。リブを切断した後、ストリップのベースシートを所定の伸張比で伸ばす。具体的には、互いに異なる表面速度で駆動されるニップローラの第１の対とニップローラの第２の対と間でリブの長手方向に沿ってベースシートを伸張する。この工程では、上流に位置する第１の対のニップローラの一つを加熱することでベースシートを加熱する一方で、下流に位置する第２の対のニップローラの一つを冷却してベースシートを安定化させてもよい。この伸張によって、リブの複数の部分間に空間が生じ、その部分が突起２０となる。
【００２０】
もう一つの例は、特表２００８−５３２６９９号公報に記載の手法である。この手法ではまず、多数の貫通孔を有する型板または押し出し機を用いた押出成形により、複数の突起の原形をなす複数の柱状体が表面に並んだ帯状基材を形成する。なお、各柱状体の先端部を加熱しながらカレンダーロールでその先端部を潰すことで、傘部を有する突起を形成できる。この工程により一つのシート１０が得られる。
【００２１】
シート１０にはエレクトレット処理が施される。これによりエレクトレット処理が施された層は帯電層として機能し、帯電フィルタが得られる。エレクトレット処理とは、コロナ放電、加熱および冷却、帯電粒子噴霧などによってシート１０を帯電させる処理である。シート１０を帯電させることにより、各層の除塵あるいは濾過の効果を高めることができる。
【００２２】
突起２０の様々な形状を以下に説明する。突起２０の形状の特徴は、突起２０を側面から見た際に見出すことができる。本実施形態では、図３に示すように、ベース１１と直交する仮想面Ｖに突起２０を投影して得られる投影像Ｐの外縁を用いて、突起２０の形状の特徴を示す。仮想面Ｖは気体が流れる方向と交差するように設定され、これは、仮想面Ｖが、気体の流れを遮るような態様で設定されることを意味する。図４〜１１は、様々な突起２０の投影像であるが、これらの図では、説明を分かり易くするために、突起に付した符号と同じものを投影像に付すこととする。図４，５，７〜１１に示す、投影像の第１の外縁２３および第２の外縁２４はいずれも、茎部２１の側面に対応する外縁である。本実施形態では、茎部２１の側面のうち、ベース１１との接続部分を含む一部を「根元側側面」といい、茎部２１の先端を含む一部を「先端側側面」という。また、いくつかのパターンでは、茎部２１の延び方向を示す基準線Ｌを示す。この基準線Ｌは、第１の外縁２３と第２の外縁２４との中間点を結ぶ線である。図４〜１１での各パターンにおいて、下側のベース１１は第１の層のベースに相当し、茎部２１（突起２０）は第１の層の突起に相当し、上側のベース１１（隣接する層のベース１１）は第２の層のベースに相当する。
【００２３】
パターン１では、突起２０は傘部２２を備えず茎部２１のみから成る。茎部２１は直柱状を呈する。第１の外縁２３および第２の外縁２４はいずれも、屈曲も湾曲もしておらず、一直線である。これらの第１の外縁２３および第２の外縁２４は基準線Ｌに沿って延びているともいうことができる。ベース１１と茎部２１の根元側側面とが成す角度θは９０°であり、茎部２１の先端側側面と、隣接する層のベース１１とが成す角度φも９０°である。ここで、本明細書における角度θ，φは、気体の流路（空間）の形状に対応する角度であり、中実である茎部２１そのものに関する角度ではないことに留意されたい。本明細書における個々の「流路」は、隣接する二つの突起２０の間に形成される空間である。角度θ，φは突起２０の投影像において測定される。角度θ，φを直角に設定することで、それぞれの隅の付近にも気体が通るので、気体が流路を流れやすくなり、ひいては帯電フィルタの圧力損失を抑制することができる。また、気体が流路の隅の付近も通るので、流路の隅またはその隅に近い部分でも気体中の微小な粒子を捕集することができる。このように、角度θ，φは、気体の流れやすさおよび圧力損失の値に影響を与える重要な要素であると共に、捕集効率（ｆｉｌｔｅｒｉｎｇ  ｅｆｆｉｃｉｅｎｃｙ）にも影響を及ぼし得る。
【００２４】
パターン２は、パターン１で示される茎部２１の先端に傘部２２が設けられた突起２０を示す。本明細書では、傘部２２が設けられるか否かに関わらず、流路の隅の形状を示す角度φは、茎部２１の先端側側面と、隣接する層のベース１１とが成す角度であり、したがって、このパターン２でも９０°である。このように、傘部２２の存在は角度φの決定に影響しない。以下に示すパターンでは傘部２２を有しない突起２０の態様に基づいて説明する。
【００２５】
パターン３では、茎部２１は、先端に向かって窄むテーパ状を呈する。第１の外縁２３および第２の外縁２４はいずれも、屈曲も湾曲もしておらず、一直線である。ベース１１と茎部２１の根元側側面とが成す角度θは鈍角である。一方、茎部２１の先端側側面と、隣接する層のベース１１とが成す角度φは鋭角であるが、４５°以上に設定される。角度θを鈍角に設定することで、その角度θに対応する隅の付近では気体が更に通りやすくなる。また、角度φが鋭角であってもその角度が４５°以上であれば、角度φに対応する隅の付近でも一定量以上の気体が通る。したがって、パターン１，２と同様に、全体としては気体が流路を流れやすくなり、ひいては帯電フィルタの圧力損失を抑制することができる。また、気体が流路の隅の付近も通るので、流路の隅またはその隅に近い部分でも気体中の微小な粒子を捕集することができる。
【００２６】
パターン４では、茎部２１は、底に向かって窄むテーパ状を呈する。第１の外縁２３および第２の外縁２４はいずれも、屈曲も湾曲もしておらず、一直線である。ベース１１と茎部２１の根元側側面とが成す角度θは鋭角であるが、４５°以上に設定される。一方、茎部２１の先端側側面と、隣接する層のベース１１とが成す角度φは鈍角である。角度φを鈍角に設定することで、その角度φに対応する隅の付近では気体が更に通りやすくなる。また、角度θが鋭角であってもその角度が４５°以上であれば、角度θに対応する隅の付近でも一定量以上の気体が通る。流路の形状に着目するとパターン４はパターン３と実質的に同じであるから、パターン３と同様に、圧力損失の抑制および捕集効率の向上が実現可能である。
【００２７】
パターン５では、茎部２１は、先端に向かって窄むテーパ状を呈する。第１の外縁２３および第２の外縁２４は共に、その全体が、投影像の内部に向かって凸であるように湾曲している。ベース１１と茎部２１の根元側側面とが成す角度（ベース１１と補助線Ｍとが成す角度）θは鈍角である。一方、茎部２１の先端側側面と、隣接する層のベース１１とが成す角度φは９０°である。角度θを鈍角に設定することで、その角度θに対応する隅の付近では気体が更に通りやすくなる。また、角度φを直角に設定することで、その角度φに対応する隅の付近でも気体が通りやすくなる。このように、流路の隅の角度を９０°以上に設定し、かつ、そのうちの一部の角度を鈍角に設定することで、帯電フィルタの圧力損失を更に抑制することができ、気体中の微小な粒子をより多く捕集することも可能になる。
【００２８】
パターン６では、茎部２１は、底に向かって窄むテーパ状を呈する。第１の外縁２３および第２の外縁２４は共に、その全体が、投影像の内部に向かって凸であるように湾曲している。ベース１１と茎部２１の根元側側面とが成す角度θは９０°である。一方、茎部２１の先端側側面と、隣接する層のベース１１とが成す角度（隣りのベース１１と補助線Ｍとが成す角度）φは鈍角である。角度φを鈍角に設定することで、その角度φに対応する隅の付近では気体が更に通りやすくなる。また、角度θを直角にすることで、角度θに対応する隅の付近でも気体が通りやすくなる。流路の形状に着目するとパターン６はパターン５と実質的に同じであるから、パターン５と同様に、圧力損失の抑制および捕集効率の向上が実現可能である。
【００２９】
パターン７では、茎部２１は、その延び方向における中央部が窄むような形状を呈する。第１の外縁２３および第２の外縁２４はいずれも、その全体が投影像の内部に向かって凸であるように湾曲している。ベース１１と茎部２１の根元側側面とが成す角度（ベース１１と補助線Ｍとが成す角度）θは鈍角である。また、茎部２１の先端側側面と、隣接する層のベース１１とが成す角度（補助線Ｎと隣りのベース１１とが成す角度）φも鈍角である。このように、流路のすべての隅の角度を鈍角に設定することで、流路のすべての隅の付近で気体が更に通りやすくなるので、帯電フィルタの圧力損失を更に抑制することができ、気体中の微小な粒子をより多く捕集することも可能になる。
【００３０】
パターン８では、茎部２１は、延び方向における中央部が窄むような形状を呈する。第１の外縁２３の全体は、直線で形成されており、かつ投影像の内部に向かって凸であるように屈曲している。第２の外縁２４も第１の外縁２３と同様の形状である。ベース１１と茎部２１の根元側側面とが成す角度θは鈍角である。また、茎部２１の先端側側面と、隣接する層のベース１１とが成す角度φも鈍角である。流路のすべての隅の角度が鈍角であるので、パターン７と同様に、流路のすべての隅の付近で気体が更に通りやすくなるので、帯電フィルタの圧力損失を更に抑制することができ、気体中の微小な粒子をより多く捕集することも可能になる。
【００３１】
パターン１〜８ではいずれも、ベース１１と茎部２１の根元側側面とが成す角度と、茎部２１の先端側側面と隣接する層のベース１１とが成す角度とのうちの一方である第１の角度が９０°以上１８０°未満に設定され、他方である第２の角度が４５°以上１８０°未満に設定される。このように、気体の流路の隅の角度を広くすることで、流路の隅の付近でも気体が通りやすくなり、帯電フィルタの圧力損失が抑制される。これに伴い、流路の隅またはその隅に近い部分でも気体中の微小な粒子が捕集されるので、捕集効率も向上する。
【００３２】
気体の流れは、流路の隅の角度が鋭角である場合よりも直角である方が円滑であり、その角度が直角である場合よりも鈍角である方が更に円滑である。流路の隅の角度がすべて直角である場合には（パターン１，２を参照）、それぞれの隅の付近にも気体が通るので、気体が流路を流れやすくなる。流路の隅の一部が４５°以上の鋭角であり、残りの隅の角度が鈍角である場合には（パターン３，４を参照）、流路全体を見ると気体が良好に流れるので、流路の隅の角度がすべて直角である場合と同等に、あるいはそれ以上に圧力損失を抑制することが可能である。流路の隅の一部が直角であり、残りの隅の角度が鈍角である場合には（パターン５，６を参照）、流路の隅の角度がすべて直角である場合よりも更に圧力損失を抑制することが可能である。流路の隅のすべてを鈍角に設定した場合には（パターン７，８を参照）、流路のすべての部分で気体が良好に流れるので、圧力損失を更に抑制することができる。
【００３３】
図６を参照しながらパターン１，３，７について更に比較する。図６は、これら３パターンについて、隣接する二つの突起２０で形成される気体の流路９０の断面形状を示す図である。これら３パターンにおいて流路９０の断面形状の面積が同じであるとする。このとき、当該断面形状を画する線分（枠）Ｆの長さは、パターン１よりもパターン３の方が長く、パターン３よりもパターン７の方が長い。この線分Ｆの長さは、フィルタの奥行きの観点も加味すると表面積を表すといえるから、線分Ｆが長いほど圧力損失が小さいといえる。パターン３は、流路９０の一部の隅の角度が鋭角であるもののパターン１よりも線分Ｆが長いので、フィルタ表面積に起因する圧力損失はパターン１よりも低いといえる。このように、パターン１とパターン３との間の圧力損失の高低は、流路９０の隅の角度と線分Ｆの長さ（表面積）とのバランスに依る。パターン７は、流路９０の隅の角度がすべて鈍角であり、パターン１，３よりも線分Ｆが長いので、パターン１、３よりも圧力損失が低いといえる。
【００３４】
ベース１１と茎部２１の根元側側面とが成す角度と、茎部２１の先端側側面と隣接する層のベース１１とが成す角度とのうちの一方である第１の角度が９０°以上１８０°未満に設定され、他方である第２の角度が４５°以上１８０°未満に設定されるのであれば、茎部２１の形状は何ら限定されない。以下に、茎部２１の様々な形状を示す。
【００３５】
パターン９では、茎部２１は、延び方向における中央部が複数の箇所で窄むような形状を呈する。第１の外縁２３および第２の外縁２４はいずれも、２箇所において、投影像の内部に向かって凸であるように湾曲している。その２箇所を凹部というとすると、その凹部に挟まれた領域は投影像の外部に向かって凸である。したがって、この例では、第１の外縁２３の一部のみ、および第２の外縁２４の一部のみが、投影像の内側に向かって凸である。ベース１１と茎部２１の根元側側面とが成す角度（ベース１１と補助線Ｍとが成す角度）θは９０°である。また、茎部２１の先端側側面と、隣接する層のベース１１とが成す角度（補助線Ｎと隣りのベース１１との角度）φも９０°である。
【００３６】
パターン１０では、茎部２１の根元側は直柱状であり、茎部２１の残りの部分は先端に向かって窄むテーパ状を呈する。第１の外縁２３および第２の外縁２４の根元側は直線であり、基準線Ｌに沿って延びているともいうことができる。これに対して、第１の外縁２３および第２の外縁２４の先端側は、投影像の外部に向かって凸であるように湾曲している。ベース１１と茎部２１の根元側側面とが成す角度θは９０°である。また、茎部２１の先端側側面と、隣接する層のベース１１とが成す角度（補助線Ｍと隣りのベース１１との角度）φは４５°以上の鋭角である。
【００３７】
パターン１１では、茎部２１は、その延び方向における中央部が窄むような形状を呈する。第１の外縁２３および第２の外縁２４はいずれも、その中央部が投影像の内部に向かって凸であるように湾曲している。ベース１１と茎部２１の根元側側面とが成す角度（ベース１１と補助線Ｍとが成す角度）θは９０°である。また、茎部２１の先端側側面と、隣接する層のベース１１とが成す角度（補助線Ｎと隣りのベース１１との角度）φも９０°である。
【００３８】
パターン１２では、茎部２１は、延び方向における中央部が複数の箇所で窄むような形状を呈している。第１の外縁２３および第２の外縁２４はいずれも直線で形成されており、２箇所において、投影像の内部に向かって凸であるように屈曲している。その２箇所を凹部と定義すると、その凹部に挟まれた領域は投影像の外部に向かって凸である。したがって、この例では、第１の外縁２３の一部のみ、および第２の外縁２４の一部のみが、投影像の内側に向かって凸である。ベース１１と茎部２１の根元側側面とが成す角度θは鈍角である。また、茎部２１の先端側側面と、隣接する層のベース１１とが成す角度φも鈍角である。
【００３９】
パターン１３〜１５は、茎部２１の投影像が線対称でない例である。パターン１３では、茎部２１は、底に向かって窄むテーパ状を呈する。第１の外縁２３は、屈曲も湾曲もしておらず、一直線である。一方、第２の外縁２４は、その全体が投影像の内部に向かって凸であるように湾曲している。ベース１１と第１の外縁２３の根元側（茎部２１の根元側側面）とが成す角度θａは９０°である。ベース１１と第２の外縁２４の根元側（茎部２１の根元側側面）とが成す角度θｂも９０°である。第１の外縁２３の先端側（茎部２１の先端側側面）と、隣接する層のベース１１とが成す角度φａも９０°である。第２の外縁２４の先端側（茎部２１の先端側側面）と、隣接する層のベース１１とが成す角度（補助線Ｍと隣りのベース１１との角度）φｂは鈍角である。
【００４０】
パターン１４では、茎部２１は、先端に向かって窄むテーパ状を呈する。第１の外縁２３および第２の外縁２４はいずれも、屈曲も湾曲もしておらず、一直線である。ベース１１と第１の外縁２３の根元側（茎部２１の根元側側面）とが成す角度θａは鈍角である。ベース１１と第２の外縁２４の根元側（茎部２１の根元側側面）とが成す角度θｂは９０°である。第１の外縁２３の先端側（茎部２１の先端側側面）と、隣接する層のベース１１とが成す角度φａは、４５°以上の鋭角である。第２の外縁２４の先端側（茎部２１の先端側側面）と、隣接する層のベース１１とが成す角度φｂは９０°である。
【００４１】
パターン１５では、茎部２１は、先端に向かって窄むテーパ状を呈する。第１の外縁２３は、その全体が投影像の内部に向かって凸であるように湾曲している。一方、第２の外縁２４は、その全体が投影像の外側に向かって凸であるように湾曲している。ベース１１と第１の外縁２３の根元側（茎部２１の根元側側面）とが成す角度（ベース１１と補助線Ｍａとの角度）θａは鈍角である。ベース１１と第２の外縁２４の根元側（茎部２１の根元側側面）とが成す角度（ベース１１と補助線Ｍｂとの角度）θｂは９０°である。第１の外縁２３の先端側（茎部２１の先端側側面）と、隣接する層のベース１１とが成す角度φａも９０°である。第２の外縁２４の先端側（茎部２１の先端側側面）と、隣接する層のベース１１とが成す角度（補助線Ｎと隣りのベース１１との角度）φｂは、４５°以上の鋭角である。
【００４２】
パターン１６に示すように、茎部２１はその途中に枝２５を含んでもよい。例示では第１の縁部２３および第２の縁部２４の双方に枝２５が形成されているが、枝２５の位置および本数はこの例に限定されない。ベース１１と茎部２１の根元側側面とが成す角度θは９０°であり、茎部２１の先端側側面と、隣接する層のベース１１とが成す角度φも９０°である。
【００４３】
パターン１７〜２０は、投影像で見ると茎部２１が二股になっており、その結果として隙間２６が存在する態様である。茎部２１は根元側が二股になっていてもよいし、先端側が二股になっていてもよいし、あるいは双方の側で二股になっていてもよい。隙間２６にも気体が流れ得るが、本明細書で上記の通り定義される「流路」は、隙間２６を含まない概念である。
【００４４】
パターン１７では、茎部２１は先端に向かって窄むテーパ状を呈する。第１の外縁２３および第２の外縁２４はいずれも、その全体が、投影像の内部に向かって凸であるように湾曲している。ベース１１と茎部２１の根元側側面とが成す角度（ベース１１と補助線Ｍとが成す角度）θは鈍角である。茎部２１の先端側側面と、隣接する層のベース１１とが成す角度φは９０°である。
【００４５】
パターン１８では、茎部２１の根元側は直柱状であり、茎部２１の残りの部分は先端に向かって窄むテーパ状を呈する。第１の外縁２３および第２の外縁２４の根元側は直線であり、基準線Ｌに沿って延びているともいうことができる。これに対して、第１の外縁２３および第２の外縁２４の先端側は、投影像の外部に向かって凸であるように湾曲している。ベース１１と茎部２１の根元側側面とが成す角度θは９０°である。また、茎部２１の先端側側面と、隣接する層のベース１１とが成す角度（補助線Ｍと隣りのベース１１との角度）φは４５°以上の鋭角である。
【００４６】
パターン１９では、茎部２１は直柱状を呈する。第１の外縁２３および第２の外縁２４はいずれも、屈曲も湾曲もしておらず、一直線である。あるいは、第１の外縁２３および第２の外縁２４は基準線Ｌに沿って延びているともいうことができる。ベース１１と茎部２１の根元側側面とが成す角度θは９０°であり、茎部２１の先端側側面と、隣接する層のベース１１とが成す角度φも９０°である。
【００４７】
パターン２０では、茎部２１は、その延び方向における中央部が窄むような形状を呈する。隙間２６は根元側および先端側の双方に存在する。第１の外縁２３および第２の外縁２４はいずれも、その全体が、投影像の内部に向かって凸であるように湾曲している。ベース１１と茎部２１の根元側側面とが成す角度（ベース１１と補助線Ｍとが成す角度）θは鈍角である。また、茎部２１の先端側側面と、隣接する層のベース１１とが成す角度（補助線Ｎと隣りのベース１１とが成す角度）φも鈍角である。
【００４８】
パターン２１からパターン２３は、茎部２１の延び方向と直交する方向に貫通する１以上の孔（以下ではこのような孔を単に「貫通孔」という）２７が形成された態様である。個々の貫通孔２７の位置および寸法は何ら限定されない。貫通孔２７にも気体が流れ得るが、本明細書で上記の通り定義される「流路」は、貫通孔２７を含まない概念である。
【００４９】
パターン２１では、茎部２１は、底に向かって窄むテーパ状を呈する。第１の外縁２３および第２の外縁２４はいずれも、屈曲も湾曲もしておらず、一直線である。ベース１１と茎部２１の根元側側面とが成す角度θは鋭角であるが、４５°以上に設定される。一方、茎部２１の先端側側面と、隣接する層のベース１１とが成す角度φは鈍角である。
【００５０】
パターン２２では、茎部２１は、先端に向かって窄むテーパ状を呈する。第１の外縁２３および第２の外縁２４はいずれも、その全体が、投影像の内部に向かって凸であるように湾曲している。ベース１１と茎部２１の根元側側面とが成す角度（ベース１１と補助線Ｍとが成す角度）θは鈍角である。茎部２１の先端側側面と、隣接する層のベース１１とが成す角度φは９０°である。
【００５１】
パターン２３では、茎部２１は、先端に向かって窄むテーパ状を呈し、線対称ではない。第１の外縁２３は、その全体が投影像の外側に向かって凸であるように湾曲している。一方、第２の外縁２４は、屈曲も湾曲もしておらず、一直線である。ベース１１と第１の外縁２３の根元側（茎部２１の根元側側面）とが成す角度（ベース１１と補助線Ｍとの角度）θａは９０°である。ベース１１と第２の外縁２４の根元側（茎部２１の根元側側面）とが成す角度θｂも９０°である。第１の外縁２３の先端側（茎部２１の先端側側面）と、隣接する層のベース１１とが成す角度（補助線Ｎと隣のベース１１との角度）φａは４５°以上の鋭角である。第２の外縁２４の先端側（茎部２１の先端側側面）と、隣接する層のベース１１とが成す角度φｂは９０°である。
【００５２】
パターン２４では、茎部２１は、先端に向かって窄むテーパ状を呈する。第１の外縁２３および第２の外縁２４はいずれも、屈曲も湾曲もしておらず、一直線である。この例では茎部２１には多数の微小な孔２８が形成され、したがって、茎部２１は多孔質である。孔２８にも気体が流れ得るが、本明細書で上記の通り定義される「流路」は、孔２８を含まない概念である。ベース１１と茎部２１の根元側側面とが成す角度θは鈍角である。一方、茎部２１の先端側側面と、隣接する層のベース１１とが成す角度φは鋭角であるが、４５°以上に設定される。
【００５３】
突起２０の形状の更なる例をパターン２５〜２８として示す。パターン２５では、茎部２１は斜柱状を呈している。第１の外縁２３および第２の外縁２４はいずれも、屈曲も湾曲もしておらず、一直線である。あるいは、パターン１と同様に、第１の外縁２３および第２の外縁２４は基準線Ｌに沿って延びているともいうことができる。ベース１１と第１の外縁２３の根元側（茎部２１の根元側側面）とが成す角度θａは鈍角である。ベース１１と第２の外縁２４の根元側とが成す角度θｂは４５°以上の鋭角である。第１の外縁２３の先端側（茎部２１の先端側側面）と、隣接する層のベース１１とが成す角度φａは４５°以上の鋭角である。第２の外縁２４の先端側（茎部２１の先端側側面）と、隣接する層のベース１１とが成す角度φｂは鈍角である。
【００５４】
パターン２６では、茎部２１は、弧状に湾曲した柱状を呈する。第１の外縁２３および第２の外縁２４は基準線Ｌに沿って延びている。ベース１１と茎部２１の根元側側面とが成す角度（ベース１１と補助線Ｍとの角度）θは９０°である。第１の外縁２３の先端側（茎部２１の先端側側面）と、隣接する層のベース１１とが成す角度（補助線Ｎと隣のベース１１との角度）φａは鋭角であるが、４５°以上に設定される。茎部２１の上面に対応する外縁と、隣接する層のベース１１とが成す角度φｂは、４５°以上の鋭角である。
【００５５】
パターン２７では、茎部２１は、Ｊ字状に湾曲した柱状を呈する。ベース１１と茎部２１の根元側側面とが成す角度θは９０°である。隣接する層のベース１１と接する茎部２１の部分において、茎部２１の側面と隣接する層のベース１１とが成す角度（補助線Ｍと隣のベース１１との角度）φは鋭角であるが、４５°以上に設定される。
【００５６】
パターン２８では、茎部２１は、中央付近が湾曲した柱状を呈する。第１の外縁２３および第２の外縁２４は基準線Ｌに沿って延びている。ベース１１と茎部２１の根元側側面とが成す角度θは９０°であり、茎部２１の先端側側面と、隣接する層のベース１１とが成す角度φも９０°である。
【００５７】
このように、ベース１１と茎部２１の根元側側面とが成す角度と、茎部２１の先端側側面と隣接する層のベース１１とが成す角度とのうちの一方である第１の角度が９０°以上１８０°未満に設定され、他方である第２の角度が４５°以上１８０°未満に設定されるのであれば、突起２０および茎部２１の形状は限定されない。第１の角度の下限は１００°、１１０°、１２０°、１３０°、１４０°、１５０°、１６０°、または１７０°でもよく、その上限は１００°、１１０°、１２０°、１３０°、１４０°、１５０°、１６０°、または１７０°でもよい。また、第２の角度の下限は５０°、６０°、７０°、８０°、９０°、１００°、１１０°、１２０°、１３０°、１４０°、１５０°、１６０°、または１７０°でもよく、その上限は５０°、６０°、７０°、８０°、９０°、１００°、１１０°、１２０°、１３０°、１４０°、１５０°、１６０°、または１７０°でもよい。
【００５８】
ベース１１とほぼ並行する突起２０の上面（茎部２１の上面または傘部２２の上面）の形状は任意に定めてよい。例えば、図１２に示すように、その上面の形状は円であってもよいし（パターンＡ）、楕円であってもよいし（パターンＢ）、矩形であってもよいし（パターンＣ）、星形であってもよい（パターンＤ）。あるいは、その上面の形状は三角形や六角形などの任意の多角形であってもよいし、より複雑な形状であってもよい。
【００５９】
突起２０の形状は上記の通り様々な形状が考えられ、例えば、捕集しようとする物の形状または寸法、通気抵抗、捕集効率、流路内での乱流の発生、帯電フィルタの層構造の安定性などを総合的に考慮して決定される。
【００６０】
ベース１１上での複数の突起２０の具体的な配置態様は限定されない。例えば、突起２０は図１３に示すように格子状に配置されてもよいし、図１４に示すように千鳥状に配置されてもよい。あるいは、図１５に示すように、突起２０の列がベース１１の外縁に対して傾斜した態様でもよいし、図１６に示すように突起２０がランダムに配置されてもよい。突起２０の配置態様はこれらに限定されず、気体の流路を形成できるのであればどのようなパターンでもよい。
【００６１】
突起２０はベース１１上に均等に配置されてもよいし、不均等に配置されてもよい。不均等に配置される例をいくつか示す。例えば、図１７に示すように、ベース１１において、突起２０が存在する突起領域１１ａと突起２０が存在しない平坦領域１１ｂとが混在してもよい。図１７では突起領域１１ａおよび平坦領域１１ｂは共に矩形だが、これらの領域の形状は何ら限定されず、任意に定めてよい（例えば、円、楕円、星形、任意の多角形、ストライプ状、格子状、波形、または、これらのような複数種類の形状の組合せ）。シート１０とは異なる薄い板状の部材を基材として用い、その基材上の一部にシート１０を貼り付けることで、シート１０が貼られた突起領域１１ａとシート１０が貼られない平坦領域１１ｂとを形成してもよい。平坦領域１１ｂでは気体が滑らかに流れるので、帯電フィルタの圧力損失を全体として更に抑制することができる。
【００６２】
あるいは、図１８に示すように、１枚のシート１０において、突起２０が密集した領域（密な領域）１１ｃと突起２０がまばらな領域（疎な領域）１１ｄとが混在してもよい。密な領域１１ｃおよび疎な領域１１ｄの形状は限定されず、任意に定めてよい（例えば、円、楕円、星形、任意の多角形、ストライプ状、格子状、波形、または、これらのような複数種類の形状の組合せ）。あるいは、シート１０とは異なる薄い板状の部材を基材として用い、その基材上の一部に、突起２０が密集したシート１０を接着や溶着などで貼り付け、残りの部分に、突起２０がまばらなシート１０を同様の手法で貼り付けることで、密な領域１１ｃおよび疎な領域１１ｄを形成してもよい。疎な領域１１ｄでは密な領域１１ｃに比べて気体が滑らかに流れるので、帯電フィルタの圧力損失を全体として更に抑制することができる。
【００６３】
一つのベース１１上に複数種類の突起が設けられてもよい。例えば、一つのベース上に、異なる寸法の突起が設けられてもよいし、異なる形状（パターン）の突起が設けられてもよいし、寸法および形状の双方が異なる突起が設けられてもよい。
【００６４】
ベース１１にはスリットまたは開口が形成されてもよい。図１９〜２７を用いてそのスリットおよび開口について説明する。本明細書における用語「スリット」とは、スリット状の溝またはスリット状の貫通部を含む概念である。本明細書における用語「溝」は、ベース１１における一方の面に設けられた切込みが他方の面に貫通しない状態を示す。この溝は、ベース１１の表面に形成されてもよいし裏面に形成されてもよい。本明細書における用語「貫通部」は、ベース１１に設けられた孔または開口が一方の面から他方の面まで貫通した状態を示す。本明細書では、スリット状の溝およびスリット状の貫通部をまとめて、単に「スリット」ともいう。本実施形態では直線状のスリットを示すが、スリットの形は任意であり、例えば、波型、山形、凹凸型などのスリットをベース１１に形成してもよい。
【００６５】
スリットは、従来から用いられている任意の手法（例えば、刃やレーザ切断など）により形成することができる。一方、開口は、例えば、スリット状の貫通部が形成されたベース１１をスリット列と直交する方向に広げることで形成することができる。ベース１１を広げる手段としては、幅出し機（ｔｅｎｔｅｒ）やローラなどの機械や、手作業などが挙げられる。あるいは、開口１４は、ベース１１を広げることなく、そのベース１１を所望の形にくり抜くことで形成してもよい。
【００６６】
スリットの配置は任意である。例えば、図１９に示すように、ベース１１の一辺付近からその対辺付近にかけて途切れることなく延びるスリット１３が所定の間隔で並んでもよい。あるいは、図２０に示すようにスリット１３が千鳥状に配置されてもよいし、図２１に示すようにスリット１３が格子状に配置されてもよい。また、ベース１１全体においてスリット１３の密集度が一定である必要はなく、例えば図２２，２３に示すように、一つのベース１１においてスリット１３がまばらな部分とスリット１３が密な部分とが存在してもよい。図２２の例では、ベース１１の一辺からその対辺に進むにつれて（同図において左から右に進むにつれて）スリット１３が次第に密になっている。図２３の例では、スリット１３が密集する部分とスリット１３がまばらな部分とが交互に配置されている。
【００６７】
個々のスリット１３の長さは限定されない。また、一つのベース１１おいて個々のスリット１３の長さが統一されてもよいし、異なる長さのスリット１３が混在してもよい。スリット１３の延び方向における、隣接する二つのスリット１３の間隔も限定されず、当該延び方向と直交する方向における、隣接する二つのスリット１３の間隔も限定されない。また、一つのベース１１においてこれらの間隔が統一されてもよいし統一されなくてもよい。上述した図２２，２３は、スリット１３の延び方向と直交する方向においてスリット１３同士の間隔が統一されない態様を示しているともいえる。
【００６８】
上記の例では個々のスリットがベース１１の一辺と平行になるように延びているが、スリット１３の延び方向も限定されない。例えば、スリット１３はベース１１の辺に対して任意の角度θ（０°＜θ＜９０°）で傾斜するように形成されてもよい。
【００６９】
開口の配置も任意である。例えば、図２４に示すように、ベース１１の一辺付近からその対辺付近にかけて途切れることなく延びる開口１４が所定の間隔で並んでもよい。あるいは、図２５に示すように開口１４が千鳥状に配置されてもよいし、図２６に示すように開口１４が格子状に配置されてもよい。図示はしないが、一つのベース１１において開口がまばらな部分と開口が密集する部分とが混在してもよい。また、隣接する二つの開口１４の間隔も限定されないし、その間隔は統一されていても統一されていなくてもよい。また、開口１４はベース１１の辺に対して斜めに形成されてもよい。このように、開口の配置については、スリットの場合と同様に様々な変形が考えられる。
【００７０】
図２４〜２６の例では開口１４が矩形であるが、開口の形状はこれに限定されない。例えば、開口は菱形、円形、楕円形、矩形、星形、波形、あるいは他の多角形であってもよい。また、一つのベース１１において複数の形状の開口１４が混在してもよい。
【００７１】
図２７に示すように、スリット１３と開口１４とが混在してもよい。当然ながら、個々のスリット１３および開口１４の配置は図２７の例に限定されず、任意に定めてよい。
【００７２】
本実施形態に係る帯電フィルタは複数の層を備える。複数の層を備えること、すなわち積層された構造は、複数の層を重ねることにより形成され得る。具体的には、１枚のシート１０を折り曲げたり、巻いたりすることで行われてもよいし、複数のシート１０を積み重ねることで行われてもよい。異なる種類のシート１０を繋いだ後に巻くことで複数の層を形成してもよく、また、複数層からなるシートを一緒に巻く、または積み重ねることで複数の層を形成することも可能である。突起２０の上面（すなわち、茎部２１または傘部２２の上面）に粘着層または接着層が設けられてもよく、これにより、積層時のずれを防止することができる。
【００７３】
図２８は、１枚の帯状のシート１０を何重にも巻くことで得られる帯電フィルタ１００を示す。この帯電フィルタ１００を作製する場合には、帯電フィルタの軸となる円柱部材にシート１０を何重にも巻き付けてもよいし、その円柱部材を用いることなくシート１０を巻いてもよい。ベース１１にスリットまたは開口が形成されている場合には、シート１０自体の剛性が小さくなってシート１０がより柔軟に変形するようになるので、シート１０を小さく巻く作業が容易になり、隣接する二つの層がより確実に密着した帯電フィルタ１００を作製することができる。シート１０に形成するスリットまたは開口の寸法または形状を調整することで、帯電フィルタの属性（作製方法や適用場面など）に応じて、シート１０の柔軟性を適宜変更することができる。開口が形成されたシート１０を用いた場合には、その開口が存在する領域では突起が存在しないことで気体が滑らかに流れるので、帯電フィルタの圧力損失を全体として更に抑制することができる。
【００７４】
図２８に示す帯電フィルタ１００を固定するために、粘着剤および接着剤を用いることなく、収縮性を有するフィルム（収縮フィルム）のみを用いてもよい。具体的には、帯電フィルタ１００の外周面を収縮フィルムで覆うことで帯電フィルタ１００を固定する。例えば、収縮フィルムとして熱収縮チューブを採用した場合には、その熱収縮チューブを帯電フィルタ１００の外周面に配した後にそのチューブを加熱することで、当該チューブが縮んで帯電フィルタ１００を外側から押さえ込む。熱収縮チューブの材料の例として、ポリエチレンテレフタラート（ＰＥＴ）および二軸延伸ポリスチレン（ＢＯＰＳ）が挙げられる。あるいは、収縮フィルムに張力をかけながら帯電フィルタ１００を当該収縮フィルムで巻くことで帯電フィルタ１００を外側から押さえ込んでもよい。
【００７５】
図２９は、複数のシート１０を重ねることで得られる帯電フィルタ１００Ａを示す。この場合には、複数の同形のシート１０を重ねることで帯電フィルタ１００Ａを形成してもよいし、複数のシート１０を重ねた後に帯電フィルタの側面を切り揃えることで帯電フィルタ１００Ａを完成させてもよい。図２９に示す帯電フィルタ１００Ａは直方体であるが、帯電フィルタ１００Ａの形状はこれに限定されず、円柱、楕円柱、任意の多角柱、あるいはより複雑な形状であってもよい。
【００７６】
図３０は、１枚の帯状のシート１０を何重にも巻いた後に中心（巻芯に相当する部分）を引っ張ることで円錐状にした帯電フィルタ１００Ｂを示す。
【００７７】
このように一つまたは複数のシート１０から様々な形状の帯電フィルタを作製することができる。いずれにしても、本実施形態に係る帯電フィルタは、気体が流れる多数の流路を有する（図２８，２９中の拡大部分に示される流路９０を参照）。帯電フィルタ全体の厚さ（フィルタの流路長）の下限は１ｍｍ、３ｍｍ、５ｍｍ、１０ｍｍ、または１５ｍｍでもよく、その上限は７００ｍｍ、６００ｍｍ、５００ｍｍ、２５０ｍｍ、または１００ｍｍでもよい。帯電フィルタの径の下限は１０ｍｍ、１５ｍｍ、２０ｍｍ、２５ｍｍまたは３０ｍｍでもよく、その上限は１０００ｍｍ、９００ｍｍ、８００ｍｍ、７００ｍｍ、または６００ｍｍでもよい。
【００７８】
シート１０の重ね方は限定されない。例えば、図３１に示すように、ある層の突起２０の頂部（最高地点）が、隣接する層の裏面と接するようにシートを重ねてもよい。あるいは、図３２に示すように、第１層の突起２０と、第１層に隣接する第２層の突起２０とが向かい合うように第１層および第２層を重ね、第１層の裏面と、第１層に隣接する第３層の裏面とが接するように第１層および第３層を重ねる、ということを繰り返してもよい。この場合には、ベース、突起、突起、ベース、ベース、突起、突起、ベース、…と並ぶように複数のシート１０が積層された帯電フィルタが得られる。図３２に示すような形状の帯電フィルタは、例えば、１枚のシート１０をつづら折りにすることで形成できる。図３２の例では、上記の角度θは第１層の突起２０の根元側側面と第１層のベースとが成す角度である。また、上記の角度φは第１層の突起２０の先端側側面と第２層のベースとが成す角度であり、より具体的には、第１層の突起２０の先端側側面の仮想的な延長線と第２層のベースとが成す角度である。
【００７９】
帯電フィルタの流入口または排出口に向かって該帯電フィルタを見た時に、突起２０は積層方向に沿って整列してもよいし、千鳥状に配列されてもよいし、ランダムに配置されてもよい。
【００８０】
図２８〜３２の例では、すべての層が同じ種類であるが、帯電フィルタは、互いに異なる複数種類の層を備えてもよい。例えば、帯電フィルタは、シート１０により形成される層（基本層）以外の層（付加機能層）を備えてもよい。例えば、付加機能層は、有機成分の除去または脱臭を行う活性炭でもよいし、ゼオライトあるいはアルミノケイ酸塩などの吸収剤でもよいし、銅−アスコルビン酸などの脱臭触媒でもよい。あるいは、付加機能層は、シリカゲル、ゼオライト、塩化カルシウムあるいは活性アルミナなどの乾燥剤でもよいし、ＵＶ殺菌系などの消毒剤でもよいし、グロキサル、メタクリル酸エステルあるいは香料などの芳香剤でもよい。あるいは、付加機能層は、Ｍｇ、Ａｇ、Ｆｅ、Ｃｏ、Ｎｉ、Ｐｔ、ＰｄあるいはＲｎ、またはアルミナ、シリカアルミナ、ジルコニア、珪藻土、シリカジルコニウムあるいはチタニアなどの担体上に支持された酸化物などの金属を含むオゾン除去剤でもよい。一つの帯電フィルタが複数種類の付加機能層を備えてもよい。
【００８１】
図３３に示すように、付加機能層３０は、ある基本層（シート）１０の突起２０と、隣接する基本層（シート）１０の裏面との間に挿入されてもよい。この場合には、基本層（シート）１０が第１の層に相当し、付加機能層３０が、ベースを備える第２の層に相当する。あるいは、図３４に示すように、付加機能層３０は、ある基本層１０の突起２０と、隣接する基本層１０の突起２０との間に挿入されてもよい。この場合も、基本層（シート）１０が第１の層に相当し、付加機能層３０が、ベースを備える第２の層に相当する。あるいは、図３５に示すように、付加機能層３０は、ある基本層１０の裏面と、隣接する基本層１０の裏面との間に挿入されてもよい。この場合には、上記の角度θ，φは図３２の例と同様に定義される。積層される基本層と付加機能層との割合は任意に定めてよい。例えば、基本層１０と付加機能層３０とを交互に配置することでその割合を１：１にしてもよい。２個の基本層１０を重ねた後に１個の付加機能層３０を配置することを繰り返すのであれば、その割合は２：１になる。その割合は３：１でもよいし、１：２でもよいし、これら以外でもよい。
【００８２】
あるいは、帯電フィルタは、中実の突起の形状等が互いに異なる複数種類の層を備えてもよい。すなわち、この場合、第１の層と第２の層とは互いに異なる種類の層であり、第１の層と第２の層との間では、シート材料、突起の形状、寸法、密度等が異なってもよい。
【実施例】
【００８３】
以下、実施例に基づいて本発明を具体的に説明するが、本発明はそれらに何ら限定されるものではない。
【００８４】
（実施例１）
ポリプロピレンを材料として用いて、帯電フィルタを形成するためのシートを形成した。個々の突起は茎部を備え傘部を備えない態様であり、したがって、図２（ａ）に示すような形状であった。仮想面に投影されて得られる茎部の投影像は、上記のパターン３または５に相当するものであった。ベースの厚みを約０．１〜約０．２ｍｍとし、各突起の高さを約０．３〜約０．４ｍｍとし、各突起の先端部の最大幅を約０．１〜約０．２ｍｍとした。個々の突起が約０．８ｍｍ間隔で格子状に配置されるように、ベース上に当該突起を形成した。シートへのエレクトレット処理は、ウェッジ株式会社（Ｗｅｄｇｅ  Ｉｎｃ．）製の、機械幅（ｍａｃｈｉｎｅ  ｗｉｄｔｈ）が１２００ｍｍである装置を用いて行った。エレクトレット処理における加熱処理（１００℃）の時間は５秒であり、冷却処理の時間も５秒であり、印加電圧は１３．５ＫＶであった。エレクトレット処理を施したシートをロール状（直径：約３００ｍｍ）に巻き取った。次に、フィルムを巻き出し５０ｍｍ×３ｍｍ、５０ｍｍ×５ｍｍ、５０ｍｍ×１０ｍｍ、および５０ｍｍ×１５ｍｍのシート形状に裁断した。そして、裁断したフィルムを突起方向に複数枚積み重ね、縦が５０mmになるようにブロック形状（図２９）に組み立てることで、帯電フィルタを作製した。４種類のそれぞれのフィルタの寸法（縦×横×幅）は５０ｍｍ×５０ｍｍ×３ｍｍ、５０ｍｍ×５０ｍｍ×５ｍｍ、５０ｍｍ×５０ｍｍ×１０ｍｍ、および５０ｍｍ×５０ｍｍ×１５ｍｍである。ここでの「フィルタの幅」とは、フィルタの厚さまたは流路長ともいうことができる。
【００８５】
幅の異なる４種類の帯電フィルタの性能を、ＴＳＩ  ＭＯＤＥＬ  ８１３０という検査装置を用いて評価した。検査用の粒子として、粒子数中央径（ｃｏｕｎｔ  ｍｅｄｉａｎ  ｄｉａｍｅｔｅｒ）で示される寸法が約０．１０μｍである塩化ナトリウムを用い、気流中における粒子の密度を約５０ｍｇ／ｍ３（変動範囲は１５％）とした。１００ｍｇの塩化ナトリウムを気流中に提供し終えるまでの時間を検査時間とした。
【００８６】
捕集効率Ｅ（％）は、フィルタ通過前の気流中の粒子濃度をＣａ（ｍｇ／ｍ３）とし、フィルタ通過後の気流中の粒子濃度（ｍｇ／ｍ３）をＣｂとすると、下記式で得られる。
Ｅ＝（Ｃａ−Ｃｂ）／Ｃａ×１００
【００８７】
図３６は、４種類の帯電フィルタについての捕集効率を示すグラフである。横軸は流速（ｃｍ／ｓｅｃ）であり、縦軸は捕集効率（％）である。流速についてはグラフに示す３段階を設定し、それぞれの流速において、４個の帯電フィルタの捕集効率を測定した。
【００８８】
図３７は、４種類の帯電フィルタについての圧力損失を示すグラフである。横軸は流速（ｃｍ／ｓｅｃ）であり、縦軸は圧力損失（ｍｍＡｑ）である。なお、１ｍｍＡｑ＝９．８０６６５Ｐａである。流速の設定は図３６と同じである。
【００８９】
実施例１の結果より、帯電フィルタの幅をコントロールすることで帯電フィルタの捕集効率および圧力損失を調整することが可能であり、用途に応じた製品設計ができる、といえる。
【００９０】
（実施例２）
実施例１で作製したものと同じ、５ｍｍ幅のシートから作製した帯電フィルタを、実施例として用意した。また、参考例として、実施例の帯電フィルタと寸法が同じ下記の市販品の帯電フィルタを用意した。
・参考例１：不織布製高帯電エアフィルタ（プリーツ有、プリーツ幅５ｍｍ）（ハイエンド品）
・参考例２：ハニカム構造を有するポリオレフィン製帯電エアフィルタ
・参考例３：不織布製低帯電エアフィルタ（プリーツ有、プリーツ幅５ｍｍ）（汎用品）
・参考例４：不織布製低帯電エアフィルタ（プリーツ有、プリーツ幅２ｍｍ）（汎用品）
【００９１】
実施例に係る帯電フィルタおよび参考例に係る帯電フィルタのそれぞれの捕集効率および圧力損失を、実施例１と同じ手法で測定した。図３８は、実施例、および四つの参考例での捕集効率を示すグラフであり、横軸および縦軸はそれぞれ流速（ｃｍ／ｓｅｃ）、捕集効率（％）である。図３９は、実施例、および四つ参考例での圧力損失を示すグラフであり、横軸および縦軸はそれぞれ流速（ｃｍ／ｓｅｃ）、圧力損失（ｍｍＡｑ）である。実施例２では、流速に関して、３水準とし、測定に使用したサンプルの寸法に応じて換算した。
【００９２】
実施例２の結果より、実施例の帯電フィルタは、ハイエンド品である「不織布製高帯電エアフィルタ」（参考例１）と同等の性能（捕集効率および圧力損失）を発揮することがわかった。
【００９３】
以上説明したように、本発明の一側面に係る帯電フィルタは、第１の層と第２の層とを含む帯電フィルタであって、第１の層がベースと、該ベースの表面から延び且つ第２の層に隣接する複数の中実の突起とを備え、突起が、根元側側面と先端側側面とを有する茎部を有し、第２の層がベースを備え、茎部の根元側側面と第１の層のベースとがなす角度と、茎部の先端側側面と第２の層のベースとがなす角度とのうちの一方の角度である第１の角度が９０°以上１８０°未満であり、他方の角度である第２の角度が４５°以上１８０°未満である。
【００９４】
また、本発明の一側面に係る物品は、上記の帯電フィルタを備える。
【００９５】
このような側面においては、突起が中実なので、フィルタの層構造が安定し、且つ層間の流路を確保できる。加えて、その突起の茎部の根元側および先端側のそれぞれにおいて気体の流路の隅が広く確保されるので、隣接する二つの突起で形成される流路において、その中心付近だけでなく隅の付近にも気体が通るようになり、気体がフィルタ内を流れやすくなる。したがって、フィルタの層構造を安定させつつ、圧力損失の抑制および捕集効率の向上を実現することができる。
【００９６】
また、本発明の一側面に係る帯電フィルタは、フィルタの幅（厚さまたは流路長）を長くすることが可能であり、フィルタの幅（厚さまたは流路長）を長くしても詰まりにくい構造なので、不織布を用いた帯電フィルタに比べて製品寿命を延ばすことができる。
【００９７】
別の側面に係る帯電フィルタでは、第１の層と第２の層とが同じ種類の層であってもよい。
【００９８】
別の側面に係る帯電フィルタでは、第１の層と第２の層とが、互いに異なる種類の層であってもよい。
【００９９】
別の側面に係る帯電フィルタでは、第２の層が、第１の層とは異なる種類の層であり、且つ該第２の層のベースの表面から延びる複数の中実の突起を更に備えてもよい。
【０１００】
別の側面に係る帯電フィルタでは、第２の角度が９０°以上１８０°未満であってもよい。
【０１０１】
この場合には、突起の茎部の根元側および先端側のそれぞれにおいて気体の流路の隅が９０°以上に確保されるので、流路のそれぞれの隅の付近にも気体がより円滑に通るようになり、気体が帯電フィルタ内を流れやすくなる。
【０１０２】
別の側面に係る帯電フィルタでは、第１の層のベースと直交する仮想面に茎部を投影して得られる投影像の二つの外縁の全体が、投影像の外側に向かって凸でなくてもよい。
【０１０３】
このように、突起の側面の全体を、外側に向かって凸にならないように形成することで、流路の径が広がるので、気体が帯電フィルタ内を流れやすくなる。
【０１０４】
別の側面に係る帯電フィルタでは、二つの外縁のうちの少なくとも一つの全体が、投影像の内側に向かって凸であってもよい。
【０１０５】
このように、突起の側面の全体を、内側に向かって凸であるように形成することで、流路の径が更に広がるので、気体が帯電フィルタ内を流れやすくなる。
【０１０６】
別の側面に係る帯電フィルタでは、第１の層のベース上に、スリット状の溝、スリット状の貫通部、または開口が形成されてもよい。
【０１０７】
この場合にはシートの柔軟性が増すので、帯電フィルタを作製する際にそのシートを小さく丸めることができる。したがって、層同士が密接に重なり合った帯電フィルタを作製することができる。また、フィルタにおける流路のコントロールの多様性が増すため、用途に応じた製品設計が可能となる。
【０１０８】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【０１０９】
１０…シート（基本層）、１１…ベース、１３…スリット、１４…開口、２０…突起、２１…茎部、２２…傘部、２３…第１の外縁、２４…第２の外縁、３０…付加機能層、１００，１００Ａ，１００Ｂ…帯電フィルタ。
【図１】
2016068040.tif 000003
【図２】
2016068040.tif 000004
【図３】
2016068040.tif 000005
【図４】
2016068040.tif 000006
【図５】
2016068040.tif 000007
【図６】
2016068040.tif 000008
【図７】
2016068040.tif 000009
【図８】
2016068040.tif 000010
【図９】
2016068040.tif 000011
【図１０】
2016068040.tif 000012
【図１１】
2016068040.tif 000013
【図１２】
2016068040.tif 000014
【図１３】
2016068040.tif 000015
【図１４】
2016068040.tif 000016
【図１５】
2016068040.tif 000017
【図１６】
2016068040.tif 000018
【図１７】
2016068040.tif 000019
【図１８】
2016068040.tif 000020
【図１９】
2016068040.tif 000021
【図２０】
2016068040.tif 000022
【図２１】
2016068040.tif 000023
【図２２】
2016068040.tif 000024
【図２３】
2016068040.tif 000025
【図２４】
2016068040.tif 000026
【図２５】
2016068040.tif 000027
【図２６】
2016068040.tif 000028
【図２７】
2016068040.tif 000029
【図２８】
2016068040.tif 000030
【図２９】
2016068040.tif 000031
【図３０】
2016068040.tif 000032
【図３１】
2016068040.tif 000033
【図３２】
2016068040.tif 000034
【図３３】
2016068040.tif 000035
【図３４】
2016068040.tif 000036
【図３５】
2016068040.tif 000037
【図３６】
2016068040.tif 000038
【図３７】
2016068040.tif 000039
【図３８】
2016068040.tif 000040
【図３９】
2016068040.tif 000041